(57)【要約】【課題】  縦置きタイプに適しウエットティシュの取り出しが容易な包装体を提供する。【解決手段】  このウエットティシュ用包装体３００は、複数のウエットティシュ２５０を収容し、ウエットティシュ片を取り出すための第一開口領域が形成された軟包装体２００と、軟包装体２００を収容し、第一開口領域に対応する位置近傍に、ウエットティシュ片２５１を取り出すための第二開口領域が形成されている外装容器１００とからなり、更に、第二開口領域の左右両側部から、この開口領域内に向かう少なくとも一対の舌片状のフラップ１６１、１６２が形成されている。【選択図】  図１
2006182444.tif 000002
【特許請求の範囲】
【請求項１】
ウエットティシュ片の一部を、他のウエットティシュ片の一部と重ねて折り畳んでなる、複数のウエットティシュ片を収容し、前記ウエットティシュ片を取り出すための第一開口領域が形成された軟包装体と、
前記軟包装体を収容し、前記収容した状態で前記軟包装体の前記第一開口領域に対応する位置近傍に、前記ウエットティシュ片を取り出すための第二開口領域が形成されており、更に、前記第二開口領域を覆い、開閉可能な蓋体が設けられている剛性の外装容器と、からなり、
前記第二開口領域は、前記外装容器の側面上部に形成されているか、又は当該側面上部から上面にかけて連続して形成されており、
更に、前記第二開口領域の縁側から当該第二開口領域内に向かい、前記ウエットティシュ片に抵抗を与えるためのフラップが形成されているウエットティシュ用包装体。
【請求項２】
前記軟包装体は、前記複数のウエットティシュ片が垂直になるように収容されている請求項１記載のウエットティシュ用包装体。
【請求項３】
前記フラップは、前記第二開口領域の左右両側部から、当該第二開口領域内に向かう、少なくとも一対の舌片状の形状である請求項１又は２記載のウエットティシュ用包装体。
【請求項４】
前記一対のフラップ同士は、互いに重ならないように配置され、前記フラップ同士は少なくとも１ｍｍ以上の間隔を有するように配置されている請求項３記載のウエットティシュ用包装体。
【請求項５】
前記一対のフラップ同士は、互いに重ならないように、かつ、スリット部を有するように配置され、前記スリット部の長さは３ｍｍ以上である請求項３又は４記載のウエットティシュ用包装体。
【請求項６】
前記一対のフラップは、共に前記第二開口領域の上端部又は下端部に向かって形成されている請求項３から５いずれか記載のウエットティシュ用包装体。
【請求項７】
前記一対のフラップは、一方のフラップと他方のフラップとで異なる弾性を有している請求項３から６いずれか記載のウエットティシュ用包装体。
【請求項８】
前記一対のフラップは、一方のフラップの長さが、他方のフラップより長くなるように形成されている請求項７記載のウエットティシュ用包装体。
【請求項９】
前記一対のフラップの少なくとも一方は、前記ウエットティシュ片の一辺であり前記折り畳まれた状態で最前列に位置するティシュ取出線にかかるように形成されている請求項３から８いずれか記載のウエットティシュ用包装体。
【請求項１０】
前記一対のフラップの一方は、前記ティシュ取出線にかかるように形成され、他方は前記ティシュ取出線にかからないように形成されている請求項９記載のウエットティシュ用包装体。
【請求項１１】
前記フラップは、渦巻状の形状である請求項１又は２記載のウエットティシュ用包装体。
【請求項１２】
前記フラップは、前記第二開口領域における前記外装容器の側面側の下部に設けられている請求項１から１１いずれか記載のウエットティシュ用包装体。
【請求項１３】
前記フラップは、前記第二開口領域における前記外装容器の側面側の上部に設けられている請求項１から１１いずれか記載のウエットティシュ用包装体。
【請求項１４】
前記フラップは、前記第二開口領域における前記外装容器の側面側の下部及び上部の２ヶ所に設けられている請求項１から１１いずれか記載のウエットティシュ用包装体。
【請求項１５】
前記フラップは、第二開口領域における前記外装容器の側面側及び上面側の２ヶ所に設けられている請求項１から１１いずれか記載のウエットティシュ用包装体。
【発明の詳細な説明】
【技術分野】
【０００１】
本発明は、ウエットティシュを収容する包装体に関し、更に詳しくは、複数のウエットティシュ片を収容するフィルム状の軟包装体と、この軟包装体を収容する剛性容器とからなる包装体に関する。
【背景技術】
【０００２】
ウエットティシュのように、水分を含んだ内容物を収容する軟包装体においては、携帯に便利で、取り出し易く、かつ、残ったウエットティシュを再度使用する際の乾燥を防止するために再封止ができる軟包装体が検討されている。このような軟包装体として、例えば、下記の特許文献１には、袋本体に切れ目を形成して開口部を形成し、その上から、接着剤を介して剥離可能な蓋部材を設けた、化粧用繊維素材等の封入袋が記載されており、開口部を有し、かつ、その開口部の再封止ができるフィルム軟包装体が開示されている。
【０００３】
一方、ウエットティシュを収容する剛性容器としては、１枚づつ切り離されたウエットティシュが折り重ねながら積層されている、いわゆる、ポップアップ式と称されるウエットティシュを連続的に取り出せるような容器が上市されている。
【０００４】
この場合、特に、１枚づつ安定してウエットティシュを取り出すため、取り出し時の抵抗となる特殊な形態の取り出し口構造の検討が行われている。例えば、下記の特許文献２には、開口領域中央部に向け対向して伸びる対称な形態をしている抵抗突起が開示されている。また、下記の特許文献３には、相対向する形状の異なる２組のフラップが開口部内方に向けて延設されており、かつ、開口部の中心点に関して点対称に形成している取出し口構造が開示されている。また、下記の特許文献４には、取り出し口側へ延びる一対の第１フラップと、各々が第１フラップに対向する一対の第２フラップとが設けられている取り出し口が開示されている。
【特許文献１】実開昭５９−９９９７４号公報
【特許文献２】特開平８−１０４３７７号公報
【特許文献３】特開２００３−４０３６１号公報
【特許文献４】特開平１１−１８０４６０号公報
【発明の開示】
【発明が解決しようとする課題】
【０００５】
特許文献２の容器においては、シート積層体を垂直に収容する、いわゆる縦置き構造であるので、横置き構成に比べて設置面積をとらないという利点を有している。しかし、シートを容器の天面に位置する開口部より垂直方向に引き上げて取り出しを行う為、通常においては、開口部と最初に取り出すシートの端との位置関係はズレており、使用者が開口部より指を入れて最初のシートを摘み出すのが困難である。そのため、上蓋を外し、ウエットティシュを開口部に導く必要がある。しかし、その際に使用者はシート全体を長く引き出し、手で多く触れた状態で開口部に導くため、雑菌などの汚染の可能性が高く非衛生的である、という問題があった。
【０００６】
また、各シートは所定の重なりを有しており、最初のシートが抜かれたときに、重なりに引き摺られるようにして第二のシートの端が開口部より露出する構造になっている。しかし、特許文献２の容器においては、シートの重なり方向に対して垂直方向に引き出す構造である為、取り出し口に向かうに応じて両シートの重なりがなくなり、シートを引き抜いたときに、次のシートの端が開口部より安定的に露出しないという問題があった。
【０００７】
また、特許文献３、４の容器においては、一枚づつ切れているシートを折り重ねてなる積層体を収納した包装体を用い、容器の天面に配置された比較的広い開口部からシートを取り出す構造であり、収納された各シートが水平に置かれた横型の形状を有している為、持ち運びし難く、設置面積を多く必要とするという問題があった。
【０００８】
本発明は、以上のような課題に鑑みてなされたものであり、その目的は、設置面積が少なくて済み、持ち運び易い縦置きタイプに適する包装体であって、しかも、ウエットティシュ片の取り出しが容易で一枚づつ安定的に取り出せる包装体を提供することにある。
【課題を解決するための手段】
【０００９】
より具体的には、本発明は、以下の構成からなるウエットティシュ用包装体を提供する。
【００１０】
（１）  ウエットティシュ片の一部を、他のウエットティシュ片の一部と重ねて折り畳んでなる、複数のウエットティシュ片を収容し、前記ウエットティシュ片を取り出すための第一開口領域が形成された軟包装体と、前記軟包装体を収容し、前記収容した状態で前記軟包装体の前記第一開口領域に対応する位置近傍に、前記ウエットティシュ片を取り出すための第二開口領域が形成されており、更に、前記第二開口領域を覆い、開閉可能な蓋体が設けられている剛性の外装容器と、からなり、前記第二開口領域は、前記外装容器の側面上部に形成されているか、又は当該側面上部から上面にかけて連続して形成されており、更に、前記第二開口領域の縁側から当該第二開口領域内に向かい、前記ウエットティシュ片に抵抗を与えるためのフラップが形成されているウエットティシュ用包装体。
【００１１】
本発明のウエットティシュ用包装体によれば、フラップが、引き出されたウエットティシュと摩擦を生じるため、一枚づつ切り離しやすくなる。このため、ウエットティシュの引き出し方向、あるいは、ウエットティシュの残数に関わらず、常に安定して取り出すことができる。
【００１２】
更に、収容状態における軟包装体の第一開口領域と、外装容器の第二開口領域とが一致しているので、簡単にウエットティシュ片を取り出すことができる。そして、外装容器の第二開口領域を、外装容器の側面上部に形成されているか、又は当該側面上部から上面にかけて連続して形成されているものとしたので、外装容器の上面（天面）ではなく、側面上部からの取り出しを可能としたことで、縦置きであっても容器正面からの取り出しが可能となり、特に優れた取り出し性を得ることができる。なお、外装容器の第二開口領域を、外装容器の側面上部から上面にかけて連続して形成した場合には、より指が挿入し易くなるので、更に、取り出し性を向上できる。
【００１３】
なお、本発明における「側面上部」とは、側面における外装容器の高さの１／２の位置より上方に少なくとも第二開口領域が形成されていることを意味する。また、「軟包装体」とは、フィルム状の軟包装材料からなる包装体を意味し、「剛性の外装容器」とは、例えばプラスチック成型品のように、通常の外圧レベルでは変形しない容器を意味する。また、「開口領域の左右両側部」とは、開口領域のうち、外装容器の長手方向に沿った側を意味する。
【００１４】
（２）  前記軟包装体は、前記複数のウエットティシュ片が垂直になるように収容されている（１）記載のウエットティシュ用包装体。
【００１５】
この態様によれば、軟包装体を縦置きした状態でそのまま外装容器に収容できるので、設置面積が少なくて済み、持ち運びし易い縦置きタイプのウエットティシュ用包装体を提供できる。
【００１６】
（３）  前記フラップは、前記第二開口領域の左右両側部から、当該第二開口領域内に向かう、少なくとも一対の舌片状の形状である（１）又は（２）記載のウエットティシュ用包装体。
【００１７】
この態様によれば、第二開口領域の左右両側部から、舌片状のフラップが形成されているため、引き出されたウエットティシュとの間で生じる摩擦が増加し、一枚づつ切り離しやすくなる。
【００１８】
（４）  前記一対のフラップ同士は、互いに重ならないように配置され、前記フラップ同士は少なくとも１ｍｍ以上の間隔を有するように配置されている（３）記載のウエットティシュ用包装体。
【００１９】
この態様によれば、フラップ同士の間隔が１ｍｍ以上で配置されているので、フラップ間にウエットティシュが詰まるなどの不具合が生じず、ウエットティシュの取り出し性が良好になる。
【００２０】
（５）前記一対のフラップ同士は、互いに重ならないように、かつ、スリット部を有するように配置され、前記スリット部の長さは３ｍｍ以上である（３）又は（４）記載のウエットティシュ用包装体。
【００２１】
この態様によれば、長さが３ｍｍ以上であるスリット部を有するため、フラップとウエットティシュとで、充分な摩擦抵抗が得られ、ウエットティシュの取り出し性が良好になる。
【００２２】
（６）  前記一対のフラップは、共に前記第二開口領域の上端部又は下端部に向かって形成されている（３）から（５）いずれか記載のウエットティシュ用包装体。
【００２３】
この態様によれば、ウエットティシュはフラップの傾斜方向に沿って上端部又は下端部へと誘い込まれる。したがって、ウエットティシュとフラップの擦れ合う距離が長くなり、摩擦抵抗も増加するので、ウエットティシュ同士をうまく切り離すことができる。特に、外装容器を縦置きにした場合には、この一対のプラップを容器底面に向かう逆ハの字状に形成することにより、ウエットティシュを第二開口領域の下端部へ誘導でき、ウエットティシュ同士の切り離しをよりスムースに行うことができる。なお、「開口領域の上端部又は下端部」とは、開口領域のうち、外装容器の短手方向に沿った側を意味する。また、「第二開口領域の上端部又は下端部に向かって形成されている」とは、いわゆるハの字状又は逆ハの字状にフラップが伸びていることを意味する。
【００２４】
（７）  前記一対のフラップは、一方のフラップと他方のフラップとで異なる弾性を有している（３）から（６）いずれか記載のウエットティシュ用包装体。
【００２５】
この態様によれば、弾性の強いフラップはウエットティシュをフラップへガイドする誘導体、弾性の弱いフラップは、ウエットティシュをフラップから外れにくくする保持体の機能を有する。したがって、積層されたウエットティシュ同士を切り離すのに有利であり、更に、次に引き出されるウエットティシュも同じようにフラップに絡み、適度な長さで保持される。ウエットティシュは、第二開口領域の位置と、ウエットティシュの重なりとの距離の関係により、第二開口領域の底部に引っ張られる。そのため、フラップは上側のフラップを弾性が強く、下側のフラップを弾性が弱く形成されていることが好ましい。
【００２６】
（８）  前記一対のフラップは、一方のフラップの長さが、他方のフラップより長くなるように形成されている（７）記載のウエットティシュ用包装体。
【００２７】
この態様によれば、一方のフラップと他方のフラップで長さが異なるため、弾性の異なるフラップが形成される。したがって、弾性の強いフラップはウエットティシュをフラップ間へガイドする誘導体、弾性の弱いフラップはウエットティシュをフラップに絡めて外れにくくする為の保持体としての機能を有する。更に、連続的にウエットティシュを取り出す際には、続くウエットティシュも同じようにフラップに絡み、適度な長さで保持される。
【００２８】
（９）  前記一対のフラップの少なくとも一方は、前記ウエットティシュ片の一辺であり前記折り畳まれた状態で最前列に位置するティシュ取出線にかかるように形成されている（３）から（８）いずれか記載のウエットティシュ用包装体。
【００２９】
この態様によれば、ティシュ取出線からウエットティシュを取り出すと、ウエットティシュがフラップ間を通る時、フラップに当たって波状に屈曲しながら通過する。そのため、フラップとウエットティシュの擦れ合う距離が長くなる。したがって、摩擦抵抗も増加し、積層されたウエットティシュ同士を切り離すのに有利である。更に、ウエットティシュはフラップ間に保持されやすくなるため、次に引き出されるウエットティシュも同じようにフラップに絡み、適度な長さで保持される。
【００３０】
（１０）  前記一対のフラップの一方は、前記ティシュ取出線にかかるように形成され、他方は前記ティシュ取出線にかからないように形成されている（９）記載のウエットティシュ用包装体。
【００３１】
この態様によれば、ウエットティシュは、ティシュ取出線にかからないように形成されている他方のフラップを乗り越えやすくなり、ウエットティシュをフラップへガイドする誘導体の機能を有する。また、ティシュ取出線にかかるように形成されている一方のフラップは、ウエットティシュをフラップから外れにくくする保持体の機能を有する。したがって、積層されたウエットティシュ同士を切り離すのに有利であり、更に、次に引き出されるウエットティシュも同じようにフラップに絡み、適度な長さで保持される。ウエットティシュは、第二開口領域の位置と、ウエットティシュの重なりとの距離の関係により、第二開口領域の底部に引っ張られる。したがって、フラップは上側のフラップがティシュ取出線にかからないように、下側のフラップがティシュ取出線にかかるように形成されていることが好ましい。
【００３２】
（１１）  前記フラップは、渦巻状の形状である（１）又は（２）記載のウエットティシュ用包装体。
【００３３】
この態様によれば、フラップが渦巻状の形状であるため、渦巻の中心からウエットティシュを取り出すことにより、引き出されたウエットティシュの周囲に摩擦が生じるため、一枚づつ切り離しやすくなる。
【００３４】
なお、本発明における「渦巻状」とは、第二開口領域内の任意の点を中心に周囲を囲んでいる形状を意味する。
【００３５】
（１２）  前記フラップは、前記第二開口領域における前記外装容器の側面側の下部に設けられている（１）から（１１）いずれか記載のウエットティシュ用包装体。
【００３６】
この態様によれば、ウエットティシュを引き抜くと、フラップとの間で摩擦が生じ、更に、第二開口領域の下端部付近と擦れ合いながら引き出されるため、一枚づつ切り離しやすくなる。
【００３７】
（１３）  前記フラップは、前記第二開口領域における前記外装容器の側面側の上部に設けられている（１）から（１１）いずれか記載のウエットティシュ用包装体。
【００３８】
この態様によれば、ウエットティシュを極端に上側に向かって引き抜くと、第二開口領域の下端部付近との摩擦抵抗が減少するが、上部にフラップが形成されているため、フラップとの間で摩擦が生じ、ウエットティシュを切り離しやすくなる。
【００３９】
（１４）  前記フラップは、前記第二開口領域における前記外装容器の側面側の下部及び上部の２ヶ所に設けられている（１）から（１１）いずれか記載のウエットティシュ用包装体。
【００４０】
この態様によれば、下部及び上部にフラップが設けられているため、どの方向にウエットティシュを引き抜いても、摩擦が生じ、ウエットティシュを切り離しやすくなる。
【００４１】
（１５）  前記フラップは、第二開口領域における前記外装容器の側面側及び上面側の２ヶ所に設けられている（１）から（１１）いずれか記載のウエットティシュ用包装体。
【００４２】
この態様によれば、第二開口領域の上面側にフラップが設けられているため、上面からウエットティシュを引き抜いても摩擦が生じ、ウエットティシュを切り離しやすくなる。
【発明の効果】
【００４３】
本発明によれば、設置面積が少なくて済み、持ち運びし易い縦置きタイプに適し、しかも、ウエットティシュ片の取り出しが容易で、ウエットティシュ片の抜き取り方向や残り枚数に関わらず、安定して一枚づつ取り出せるウエットティシュ用包装体を提供することができる。
【発明を実施するための最良の形態】
【００４４】
以下、本発明の実施形態の一例について、図面に基づいて説明する。なお、以下の実施形態の説明においては、同一の構成要件については同一符号を付し、その説明は省略もしくは簡略化する。
【００４５】
＜ウエットティシュ用包装体の全体構成＞
図１から図８は、本発明のウエットティシュ用包装体の実施形態の一例を示す図であり、図１はウエットティシュ用包装体全体の概略を示す斜視図、図２は図１における外装容器の斜視図、図３は図１における軟包装体の斜視図、図４は図３の軟包装体内に収容されているウエットティシュ片の積層状態を示す斜視図、図５は軟包装体を外装容器内に収容する状態を示す概略図、図６は外装容器に収容する前の軟包装体の斜視図、図７は図１におけるＸ−Ｘ’断面図、図８Ａは図２における第二開口領域付近の拡大正面図である。
【００４６】
図１に示すように、このウエットティシュ用包装体３００は、剛性の外装容器１００と、この外装容器１００内に収容される、複数のウエットティシュ片を収容した軟包装体２００とで主に構成されている。そして、図５に示すように、軟包装体２００は、複数のウエットティシュ片が直立した状態、すなわち、いわゆる縦置きの状態で外装容器１００の底部から挿入配置された後、底蓋１２０によって密封されている。
【００４７】
＜外装容器の構成＞
図２に示すように、外装容器１００は、軟包装体２００を収容する本体部１１０と、本体部１１０の底部に気密性を有するように勘合可能な底蓋１２０とから主に構成され、本体部１１０は、正面１１１、左側面１１２、右側面１１３、背面１１４、上面１１５とで構成される、中空の略直方体形状をなしている。なお、本発明においては、外装容器１００の大きさは特に限定されない。また、形状は直方体に限定されず、円柱状や多角柱状であってもよい。
【００４８】
本体部１１０の正面１１１の上部から上面１１５にかけては、ウエットティシュ片を取り出すための第二開口領域１３０が形成されている。更に、図７に示すように、第二開口領域１３０内には、取り出そうとするウエットティシュ片に抵抗を与え、一枚づつ安定的に取り出せるように、第二開口領域内１３０の左右両側部１３０ａから第二開口領域内１３０に向かって、一対のフラップ１６１、１６２が形成されており、結果として、ウエットティシュの取り出し口となる第三開口領域１７０が形成されている。
【００４９】
更に、この第二開口領域１３０には、第二開口領域１３０を気密状態で覆うことができるように、開閉可能な蓋体１４０が設けられており、この蓋体１４０は、ヒンジ部１４１を支点にして上下方向に可動可能となっている。
【００５０】
第二開口領域１３０の下端部１３１の下方には、蓋体１４０の先端の係合部１４２と下端部１３１とが係合して、蓋体１４０を開閉できるように、ボタン１５０が設けられている。また、ヒンジ部１４１には図示しないバネ部材が配置されて蓋体１４０が上方向に付勢されており、ボタン１５０の係合が外れると、蓋体１４０が上方向に可動して第二開口領域１３０を露出するようになっている。
【００５１】
外装容器１００は、好ましくはプラスチック成型品であり、例えば、ポリプロピレン樹脂（ＰＰ）を用いたインジェクション成型等によって得ることができる。使用樹脂は特に限定されず、ポリプロピレン樹脂、ポリエチレン樹脂（ＰＥ）の他、ポリスチレン樹脂（ＰＳ）、ＡＢＳ樹脂、エラストマー、ポリエステル樹脂（ＰＥＴ）、ナイロン樹脂（ＰＡ）、ポリ塩化ビニル樹脂（ＰＶＣ）、ポリカーボネート（ＰＣ）などの樹脂が好ましく用いられる。また、その成型方法も特に限定されない。
【００５２】
第二開口領域１３０は、外装容器１００の高さの１／２の位置より上方に形成されている必要がある。第二開口領域１３０が外装容器１００の高さの１／２の位置より下方に形成されると、ウエットティシュ片を取り出す際に、第二開口領域とウエットティシュ片との擦り合せが少なくなるので、ウエットティシュ片に与える抵抗が少なくなり、ウエットティシュ片間の切り離しが不安定になり、複数枚のウエットティシュ片が一度に飛び出てしまう。また、第三開口領域１７０の形状は、図２のような楕円形状には限定されず、例えば円や四角であってもよい。
【００５３】
また、第二開口領域１３０は、少なくとも１側面上部に形成されていればよく、この実施形態のように、正面１１１から上面１１５にかけて連続されて形成されていてもよく、正面１１１の上部のみに形成されていてもよい。また、例えば正面１１１から、右側面１１３又は左側面１１２にかけて連続して形成されていてもよい。このように２つ以上の面に跨るように形成することで、指を入れる開口部分を多面的に広く形成できるので、ウエットティシュ片の摘み出しが容易になり、更に、取り出し性を向上できる。
【００５４】
＜フラップの構造＞
図８Ａに示すように、フラップ１６１、１６２は第二開口領域１３０の左右両側面１３０ａから容器の底面に向かって形成されている。各フラップ１６１、１６２間の最短距離は１ｍｍ以上であることが好ましい。この距離が１ｍｍ未満であると、フラップ間にウエットティシュが詰まるなどの不具合が生じ、ウエットティシュの取り出しが困難になる。また、フラップ１６１、１６２は第二開口領域１３０の左右両側面１３０ａから一体となって延設されていてもよく、別部材として第二開口領域１３０内に取り付けられていてもよい。
【００５５】
また、一対のフラップ１６１、１６２の少なくとも一方は、ティシュ取出線２５３にかかるように形成されていることが好ましい。図８Ａにおいては、一方のフラップ１６１の先端はティシュ取出線２５３上に達しないように形成されており、他方のフラップ１６２はティシュ取出線２５３を越えるように形成されている。
【００５６】
また、フラップ１６１、１６２は第二開口領域１３０の下方にのみ形成されており、上方（天面）には形成されていない。従って、側面上部から上面にまで連続して第三開口領域を形成しなくても、本発明の効果が得られる。この場合、第三開口領域の面積を狭くして気密性を高めることができる。
【００５７】
この実施形態では、左右のフラップの長さと幅に差異を設けることによって図面左側のフラップ１６１の弾性が強く、右側のフラップ１６２の弾性が弱い構造になっている。このように、一対のフラップ１６１、１６２は、左右のフラップで、その形状、厚み、素材等で異なる弾性を有していることが好ましい。このような形状を取ることにより、弾性の強い（硬い）フラップはウエットティシュをフラップ間へガイドする誘導体、弾性の弱い（柔らかい）フラップはウエットティシュをフラップに絡めて外れにくくする為の保持体としての機能を有するようになる。このようにウエットティシュが保持されることで、積層されたウエットティシュ同士の切り離しが有利になる。更に、連続的にウエットティシュを取り出す際には続くウエットティシュも同じようにフラップ間に絡むので次のウエットティシュのフラップ間に保持される長さを適当に保持することができる。
【００５８】
＜フラップの他の例＞
フラップの他の形状の例としては、図８Ｂから図２０のような形状が例示できる。
【００５９】
図８Ｂの外装容器１００ｒにおいては、第二開口領域の左右両側部からフラップ１６１、１６２が、下側からフラップ１６３が形成されている。フラップ間の摩擦抵抗が増加すると、ウエットティシュは摩擦抵抗の低い所を通過しようとする。特に、図８Ａにおいて、ウエットティシュを水平に引き出すと、ウエットティシュには下側に向かう力が働くため、フラップ１６１、１６２から外れ、第三開口領域１７０内のフラップ１６２の下側からのみウエットティシュが取り出される。したがって、フラップの摩擦抵抗を増加させるのみでは充分な効果が得られない。そのため、フラップ１６３を設け、摩擦抵抗を増加することにより、ウエットティシュがフラップの下側に外れることを防止することができる。
【００６０】
図８Ｃの外装容器１００ｓにおいては、左右のフラップ１６１ｓ、１６２ｓとで、スリット部１９０を有するように形成されている。このスリット部１９０が形成されているスリット長さＷはフラップ１６１ｓの先端部とフラップ１６２ｓの側辺とが略平行となっている長さである。スリット長さＷは、３ｍｍ以上２０ｍｍ以下であることが好ましい。３ｍｍ未満であると、フラップ１６１ｓ、１６２ｓとで充分な摩擦抵抗が得られず、ウエットティシュの取り出し性が困難になる。また、２０ｍｍを超えると、フラップが大きくなるため、第三開口領域が狭くなり、使用開始時にウエットティシュを取り出すのが困難になる。
【００６１】
図９の外装容器１００ａにおいては、左右のフラップ１６１ａ、１６２ａの両方がティシュ取出線２５３にかからないように形成されている。このように、左右のフラップがティシュ取出線２５３にかからないように形成されていてもよい。
【００６２】
図１０の外装容器１００ｂにおいては、左右のフラップ１６１ｂ、１６２ｂが、容器底面に対して水平方向に形成されており、更に、ティシュ取出線２５３にかからないように形成されている。
【００６３】
図１１の外装容器１００ｃにおいては、図８における左右のフラップの位置関係が逆であり、上方のフラップ１６１ｃがティシュ取出線２５３にかかり、下方のフラップ１６２ｃがティシュ取出線２５３にかからないように形成されている。
【００６４】
図１２の外装容器１００ｄにおいては、左右のフラップ１６１ｄ、１６２ｄが容器底面に対して水平方向に形成されており、一方のフラップ１６２ｄのみがティシュ取出線２５３にかかるように形成されている。
【００６５】
図１３の外装容器１００ｅにおいては、左右のフラップ１６１ｅ、１６２ｅが容器の上面方向に傾斜して形成されている。
【００６６】
図１４の外装容器１００ｆにおいては、２組のフラップ１６１ｆ、１６２ｆが容器底面方向に傾斜して形成されており、一方のフラップ１６２ｆのみがティシュ取出線２５３にかかるように形成されている。
【００６７】
図１５の外装容器１００ｇにおいては、２組の緩やかな波状のフラップ１６１ｇ、１６２ｇが形成されている。
【００６８】
図１６の外装容器１００ｈにおいては、４組のフラップ１６１ｈ、１６２ｈが、容器底面に対して水平方向に設けられ、略スリット状に形成されている。
【００６９】
図１７の外装容器１００ｉにおいては、１組のフラップ１６１ｉ、１６２ｉが、容器底面に対して水平方向に形成されており、フラップの端部がＬ字状に形成されている。
【００７０】
図１８の外装容器１００ｊにおいては、図８におけるフラップが第２開口領域の側面上方に設けられており、１組のフラップ１６１ｊ、１６２ｊが容器の上面方向に傾斜して形成されている。
【００７１】
図１９の外装容器１００ｋにおいては、２組のフラップ１６１ｋ、１６２ｋ、１６３ｋ、１６４ｋが、第二開口領域の側面下部と上部に設けられている。下部に設けられているフラップ１６１ｋ、１６２ｋは、容器の底面方向に傾斜して形成されており、上部に設けられているフラップ１６３ｋ、１６４ｋは、容器の上面方向に傾斜して形成されている。
【００７２】
図２０の外装容器１００ｐにおいては、第二開口領域の右側部からフラップ１６１ｐが形成されており、第二開口領域内にて、渦巻き状に形成されている。そして、ティシュ取出部１８０ｐはフラップ１６１ｐの上部の開口領域から連続して形成されている。したがって、ウエットティシュの初期セット、又は、使用中にウエットティシュが容器内に落ちてしまった場合でも、容易にフラップ１６１ｐにセットすることができる。
【００７３】
＜軟包装体の構成＞
図３に示すように、この軟包装体２００は、軟包装材料からなる積層フィルム２１０で構成されたピロー軟包装体である。図３における２３１、２３２は、それぞれ上下の横シール部であり、図３の背面側の中央部には図示しない縦シール（背シール）部がある。そして、ウエットティシュ２５０の平面上の略中央部に相当する箇所から、横シール部２３２にかけて、第一開口領域２１５が形成されており、これによってウエットティシュ片の一部が露出した状態になっている。
【００７４】
軟包装体２００内には、重ねて折り畳まれた、複数のウエットティシュ２５０が収容されており、図４には、それぞれのウエットティシュ片２５１、２５２の積層構造の一例が示されている。図４では、ウエットティシュ片２５１の一部が、他のウエットティシュ片２５２の一部と重なるようにＺ形状に折られており、以降、順次上下のウエットティシュ片が重なりあうように積層されている。なお、積層構造は特に限定されず、Ｃ形状でもＷ形状でもよく、それらの組合せ折りでもよい。すなわち、いわゆるポップアップと呼ばれる、シートが連続して取り出せる機能を得る為に、各ウエットティシュ片が重なりを有するように積層されていればよい。
【００７５】
ウエットティシュ２５０に用いられるシート素材は、吸水性を有する繊維よりなる不織布や紙が好ましく用いられる。また、ウエットティシュ２５０には、アルコール、殺菌剤、洗浄剤、保湿剤などを適宜配合したものを含浸することができる。
【００７６】
図３のように、軟包装体２００に第一開口領域２１５を形成する方法は特に限定されないが、例えば、図６に示すような軟包装体２００ａを用いることができる。図６に示すように、軟包装体２００ａの積層フィルム２１０の上面側には、コの字状に切込み線２１１が形成されている。コの字の内側に領域は、後に蓋材２２０の剥離によって切り起こされる部分になる。そして、この領域を覆うように、舌片部２１２を有する蓋材２２０が粘着されており、蓋材２２０の下面側の舌片部２１２を除く部分には、図示しない粘着剤層が設けられている。そして、この粘着剤層を介して、積層フィルム２１０と蓋材２２０とが剥離可能に粘着されている。
【００７７】
積層フィルム２１０の上面における切込み線２１１のコの字の両終点の延長上には、そこから横シール部２３２にかけて続く、２本の平行な引き裂き誘導手段２６０が設けられている。この実施形態においては、引き裂き誘導手段２６０は仮想線として記載されており、実際には、積層フィルム２１０を構成する延伸フィルムの延伸方向が、仮想線の方向に一致しており、この延伸フィルムの配向が引き裂き誘導手段２６０となっている。
【００７８】
切込み線２１１は、第一開口領域２１５を生じるように設けられていればよく、切込み線２１１の形状や長さは特に限定されない。また、取出口となる第一開口領域２１５の大きさは、軟包装体２００ａの大きさや、取り出すウエットティシュの大きさや形状に応じて適宜選択可能である。また、この実施形態においては、切込み線２１１は、フィルム２１０を貫通するように形成される連続線であるが、切込み線２１１は必ずしも連続線でなくてもよく、ミシン目状に形成されていてもよい。
【００７９】
この実施形態においては、引き裂き誘導手段２６０は仮想線として記載されており、実際には、積層フィルム２１０を構成する延伸フィルムの延伸方向が、仮想線の方向に一致しており、この延伸フィルムの配向が引き裂き誘導手段２６０となっている。具体的には、例えば、積層フィルム２１０の基材層を延伸フィルムとすればよく、好ましくは配向性の高い一軸又は二軸延伸フィルムが好ましく、なかでも、いわゆる易引き裂き性（直線カット性）の一軸延伸フィルムがより好ましい。これらの延伸フィルムは従来公知の市販品を使用できる。引き裂き誘導手段２６０は、上記の延伸配向に限定されず、例えば切れ目線を積層フィルム２１０上に形成してもよい。この場合、切れ目線は積層フィルム２１０を貫通するように形成されていてもよく、いわゆるハーフカットの状態であってもよいが、軟包装体全体の密封性を維持するためには、ハーフカットの状態であることが好ましい。なお、ハーフカットは、例えばレーザー光の照射や、機械的な抜き刃加工などの公知の方法によって、例えば基材層のみに形成することができる。
【００８０】
蓋材２２０としては、柔軟性を有する可撓性のフィルム状やシート状のもので形成され、
粘着層を形成する感圧型接着剤は、例えばアクリル系の糊剤、可塑剤を含んだポリ塩化ビニル組成物、エチレン−酢酸ビニル共重合体に塩化ビニルモノマーがクラフト重合されたクラフト共重合体などのクラフトマーを主体としたものが例示できるが、特定のものに限定されない。
【００８１】
ここで、図３の軟包装体２００は、図６の軟包装体２００ａにおいて、蓋材２２０の舌片部２１２側から蓋材２２０を剥離することにより得られる。まず、蓋材２２０を剥離すると、蓋材２２０の裏面側の粘着剤層によって粘着され、積層フィルム２１０の切込み線２１１内が切り離されて持ち上げられる。これによって、積層フィルム２１０の上面に開口部が形成され、内容物が視認できる状態となる。次に、更に蓋材２２０の剥離を続けると、コの字状の切込み線２１１の両終端部に続いて形成される２本の平行な仮想線２６０に沿って積層フィルム２１０が引き裂かれ、図３に示すように、切込み線２１１から横シール部２３２にかけて、より大きな第一開口領域２１５を形成することができる。
【００８２】
＜ウエットティシュ用包装体の作用＞
次に、図７を用いて、第一開口領域と第二開口領域との位置関係について説明する。図７は図１における側断面図であり、ウエットティシュを引き出した状態を示している。
【００８３】
図７に示すように、本発明においては、外装容器１００からウエットティシュを取り出す第二開口領域Ａを、外装容器１００の側面上方に設けたこと、第二開口領域１３０の下部側面からフラップ１６１、１６２が延設されていることを特徴としている。また、第二開口領域Ａの下端部１３１より下方に、軟包装体２００の第一開口領域Ｂの下端部が位置している。
【００８４】
ここで、外装容器１００の正面１１１側の最前部のウエットティシュ片２５１を引き出すと、重なり合った部分を介して次のウエットティシュ片２５２が引き出されるが、ウエットティシュの場合はウエットティシュ間に存在する水分（薬液）の表面張力により、ウエットティシュ間の重なり部分が強固に貼り付いている為、適当な抵抗を設けてウエットティシュを切り離さないと、何枚ものウエットティシュが一度に連続して出てきてしまう。
【００８５】
このウエットティシュ用包装体３００においては、第二開口領域Ａを、外装容器１００の側面上方に設けている。そのため、ウエットティシュ片２５１を引き出そうとする際には、容器内に収納されているウエットティシュ片の重なり部分が第三開口領域の下端部１７１より下方に多く存在しているのでウエットティシュ片２５１は下方向に引っ張られる。この場合、図７に示すように、ウエットティシュ片２５１は、必ず外装容器１００の第三開口領域の下端部１７１との間で擦れ合い摩擦が生じるようになっているので、この摩擦によって、ウエットティシュ２５１と、次のウエットティシュ２５２とを切り離すことができる。
【００８６】
このような作用は、外装容器１００からウエットティシュを取り出す第二開口領域Ａを、外装容器１００の側面上方に設けたことに加え、第三開口領域の下端部１７１より下方に、軟包装体２００の第一開口領域Ｂの下端部２１５ａが位置していることにより、確実なものになる。
【００８７】
すなわち、軟包装体２００の下端部２１５ａが、第三開口領域の下端部１７１より上方に位置すると、ウエットティシュ片２５１を取り出す時の擦り合せが、第三開口領域の下端部１７１ではなく、軟包装体２００の下端部２１５ａによってなされてしまう。下端部２１５ａは軟包装フィルムに形成された端面であるので非常に薄く、剛度（硬さ）も低い。このため、ウエットティシュ片２５１との摩擦抵抗が不充分であるため、ウエットティシュ片の切り離し効果が不充分となる。
【００８８】
一方、軟包装体２００の下端部２１５ａが下方に位置し過ぎると、軟包装体２００の開口領域が大きくなり過ぎて気密性を損ねる恐れがあり、また、ウエットティシュの露出部が多過ぎて雑菌などの二次汚染の可能性などが高まるので好ましくない。このため、軟包装体２００の下端部２１５ａの位置は、外装容器１００の下端部１３１と同位置か、それより５から１５ｍｍ下方に位置するように配置することが好ましい。
【００８９】
＜フラップの作用＞
前述したように、ウエットティシュ片は容器の底面方向に引っ張られるため、ウエットティシュ片がフラップに誘い込まれる。図８に示すように、特に、フラップが第二開口領域の下端部に向かって形成されている場合、ウエットティシュ片とフラップの擦れ合う距離が長くなるため、摩擦抵抗が増加し、ウエットティシュ片同士を適当に切り離すことができる。
【００９０】
また、フラップのいずれか一方が、ティシュ取出線２５３にかかるように形成されている場合、フラップ１６１とフラップ１６２の間を通過する際、波状に屈曲しながら通過する。従って、ウエットティシュ片とフラップの擦れ合う距離が長くなるため、摩擦抵抗が増加し、ウエットティシュ片同士を適当に切り離すことができる。更に、摩擦抵抗が増加するに伴い、ウエットティシュ片はフラップ間に保持されやすくなるため、次に引き出されるウエットティシュ片も同じように絡み、適度に保持される。
【００９１】
特に、図８のように、上方のフラップ１６１のみがティシュ取出線２５３にかからないように形成されている場合、ウエットティシュ片は、まずフラップ１６１を越え、フラップ間へ誘導されやすくなる。一方、その下側に位置するフラップ１６２はティシュ取出線２５３にかかるように形成されているため、フラップ１６１とは逆に、ウエットティシュ片をフラップから外れにくくする保持体としての機能を有する。従って、ウエットティシュ片同士の切り離しが容易になり、次に引き出されるウエットティシュ片も同じように絡み、適度に保持されている。
【００９２】
このフラップは、特に、ウエットティシュ片を容器底面に対して上方向に引いた場合、ウエットティシュの残数が少ない場合等に効果的である。上方向に引いた場合はウエットティシュ片と第三開口領域下端部１７１との擦り合わせ強度が低下する。また、ウエットティシュの残数が少ない場合は、第三開口領域１７１とウエットティシュの角度が鈍角になるため、擦り合わせ強度が低下する。この様な場合、第二開口領域下端部の摩擦抵抗力が減少し、安定して１枚づつ取り出すことができないからである。
【００９３】
また、ウエットティシュを極端に容器の上面方向に引き出すことにより、第三開口領域下端部１７１との摩擦が減少する。しかし、図１８、図１９に示すよう第二開口領域の上方にフラップを形成することにより、ウエットティシュと上方のフラップとにより摩擦が生じ、切り離しやすくなる。また、上端側及び下端側の両方にフラップを形成することにより、どの方向にウエットティシュを引き出しても、フラップとの摩擦が生じるため、ウエットティシュを１枚づつ切り離しやすくなる。
【００９４】
また、フラップ間の摩擦抵抗が増加するとウエットティシュは摩擦抵抗の低い所を通過しようとする。特に、ウエットティシュを水平に引き出すと、ウエットティシュには下側に向かう力が働くため、フラップ１６１、１６２から外れ、第三開口領域１７０内のフラップ１６２の下側からウエットティシュが取り出される。このような場合、図８Ｂのように、第二開口領域１３０の下側にフラップ１６３を形成することにより、フラップ１６２、１６３の間で摩擦抵抗が生じるため、ウエットティシュがフラップの下側に外れることを防止することができる。
【００９５】
図２０においては、第三開口領域１７０のフラップ１６１ｐの上側からウエットティシュを取り出し、フラップ１６１ｐに沿ってティシュ取出部１８０ｐに導かれ、ウエットティシュは取り出される。したがって、ウエットティシュは周囲のフラップとの間で摩擦抵抗が生じるため、ウエットティシュ片同士を適当に切り離すことができる。また、ウエットティシュは、一度、ティシュ取出部１８０ｐに入り込むと、ティシュ取出部１８０ｐからのみ取り出されるため、ウエットティシュを引き出すときに、上方に引き出しても確実に抵抗を与えることができる。
【００９６】
フラップ１６１ｐ自体は弾性により、可動するため、ウエットティシュを取り出すと、ウエットティシュの抵抗に伴って、正面側への力が加わり、フラップ１６１ｐ自体がたわむ。フラップ１６１ｐはその力を解放しようとして、容器の内側にウエットティシュを引き戻そうと働く。そのため、ティシュ取出部１８０ｐより、確実にウエットティシュに摩擦抵抗を与えることができる。
【００９７】
図１７においては、第三開口領域１７０のフラップ１６１ｉの上側からウエットティシュを取り出し、フラップ１６１ｉに沿って、フラップ１６１ｉ、１６２ｉ間にあるティシュ取出部１８０ｉに導かれる。ウエットティシュは、周囲のフラップ１６１ｉ、１６２ｉとの間で摩擦抵抗が生じるため、ウエットティシュ片同士を適当に切り離すことができる。
【００９８】
フラップ１６１ｉ、１６２ｉは、特に、ウエットティシュとフラップ１６１ｉ、１６２ｉとで生じる摩擦抵抗が、過剰になった場合に特に効果的である。図１７のように、フラップ１６１ｉ、１６２ｉとでティシュ取出部１８０ｉを形成すれば、過剰な抵抗が生じた場合、フラップ１６１ｉ、１６２ｉのたわみに伴い、ティシュ取出部１８０ｉは変形する。つまり、フラップ１６１ｉ、１６２ｉが正面側にたわむに従い、取出部１８０ｉの小穴形状が崩れ、ウエットティシュを開放することができる。なお、取出部１８０ｉの小穴形状を崩すに至るまでのフラップ１６１ｉ、１６２ｉの弾性については、フラップの太さ、長さ、及び厚薄によって、任意に設定することができる。
【００９９】
＜他の実施形態＞
図２１には本発明のウエットティシュ用包装体の他の実施形態が示されている。この実施形態におけるウエットティシュ用包装体３００ｍは、第二開口領域の上面部にもフラップを形成している点が上記実施形態と異なっている。
【０１００】
このように、本発明においては、フラップは第二開口領域の側面部のみでなく、上面部に形成されていてもよい。この場合、ウエットティシュを上面部から取り出した場合においても、側面部から取り出した場合と同様の効果が得られる。
【０１０１】
図２２には本発明のウエットティシュ用包装体の他の実施形態が示されている。この実施形態におけるウエットティシュ用包装体３００ｎは、外装容器１００’が横置きタイプであり、その側面から上面にかけて第二開口領域１３０を形成した点が上記の実施形態と異なっている。
【０１０２】
このように、本発明においては、ウエットティシュ用包装体の配置は縦置きには限定されず、横置きとしてもよい。この場合、設置面積は縦置きに比べて増加するものの、本発明の特徴である、ウエットティシュの取出し性に関しては、縦の場合と同様の作用、効果を得ることができる。
【産業上の利用可能性】
【０１０３】
本発明のウエットティシュ用包装体は、内容物であるウエットティシュが取り出しやすく、特に縦置きタイプの容器として好適に使用することができる。
【図面の簡単な説明】
【０１０４】
【図１】本発明のウエットティシュ用包装体の一実施形態を示す斜視図である。
【図２】図１における外装容器の斜視図である。
【図３】図１における軟包装体の斜視図である。
【図４】軟包装体に収容されているウエットティシュの積層状態を示す斜視図である。
【図５】軟包装体を外装容器に収容する状態を示す概略図である。
【図６】外装容器に収容する前の軟包装体の斜視図である。
【図７】図１のＸ−Ｘ’’断面図である。
【図８Ａ】図２の第二開口領域付近の拡大正面図である。
【図８Ｂ】フラップ形状の他の例を示す第二開口領域付近の拡大正面図である。
【図８Ｃ】フラップ形状の更に他の例を示す第二開口領域付近の拡大正面図である。
【図９】フラップ形状の更に他の例を示す第二開口領域付近の拡大正面図である。
【図１０】フラップ形状の更に他の例を示す第二開口領域付近の拡大正面図である。
【図１１】フラップ形状の更に他の例を示す第二開口領域付近の拡大正面図である。
【図１２】フラップ形状の更に他の例を示す第二開口領域付近の拡大正面図である。
【図１３】フラップ形状の更に他の例を示す第二開口領域付近の拡大正面図である。
【図１４】フラップ形状の更に他の例を示す第二開口領域付近の拡大正面図である。
【図１５】フラップ形状の更に他の例を示す第二開口領域付近の拡大正面図である。
【図１６】フラップ形状の更に他の例を示す第二開口領域付近の拡大正面図である。
【図１７】フラップ形状の更に他の例を示す第二開口領域付近の拡大正面図である。
【図１８】フラップ形状の更に他の例を示す第二開口領域付近の拡大正面図である。
【図１９】フラップ形状の更に他の例を示す第二開口領域付近の拡大正面図である。
【図２０】フラップ形状の更に他の例を示す第二開口領域付近の拡大正面図である。
【図２１】本発明のウエットティシュ用包装体の他の実施形態を示す斜視図である。
【図２２】本発明のウエットティシュ用包装体の更に他の実施形態を示す斜視図である。
【符号の説明】
【０１０５】
１００、１００ａ、１００ｂ、１００ｃ、１００ｄ、１００ｅ、１００ｆ、１００ｇ、１００ｈ、１００ｉ、１００ｊ、１００ｋ、１００ｍ、１００ｎ、１００ｐ、１００ｒ、１００ｓ  外装容器
１１０  本体部
１１１  正面
１１２  左側面
１１３  右側面
１１４  背面
１１５  上面
１２０、１２０ｍ、１２０ｎ  底蓋
１３０  第二開口領域
１３１  下端部
１４０、１４０ｍ、１４０ｎ  蓋体
１４１  ヒンジ部
１４２  係合部
１５０、１５０ｍ、１５０ｎ  ボタン
１６１、１６１ａ、１６１ｂ、１６１ｃ、１６１ｄ、１６１ｅ、１６１ｆ、１６１ｇ、１６１ｈ、１６１ｉ、１６１ｊ、１６１ｋ、１６１ｍ、１６１ｎ、１６１ｐ、１６１ｓ、１６２、１６２ａ、１６２ｂ、１６２ｃ、１６２ｄ、１６２ｅ、１６２ｆ、１６２ｇ、１６２ｈ、１６２ｊ、１６２ｋ、１６２ｍ、１６２ｎ、１６２ｓ、１６３、１６３ｋ、１６３ｍ、１６３ｓ、１６４ｋ、１６４ｍ  フラップ
１７０  第三開口領域
１７１  下端部
１８０ｉ、１８０ｐ  ティシュ取出部
１９０  スリット部
２００、２００ａ  軟包装体
２１０  積層フィルム
２１１  切込み線
２１２  舌片部
２１５  第一開口領域
２１５ａ  下端部
２２０  蓋材
２３１、２３２  横シール部
２５０  ウエットティシュ
２５１、２５２  ウエットティシュ片
２５３  ティシュ取出線
２６０  引き裂き誘導手段
３００、３００ｍ、３００ｎ  ウエットティシュ用包装体
Ａ  第二開口領域
Ｂ  第一開口領域
Ｗ  スリット長さ
【図１】
2006182444.tif 000003
【図２】
2006182444.tif 000004
【図３】
2006182444.tif 000005
【図４】
2006182444.tif 000006
【図５】
2006182444.tif 000007
【図６】
2006182444.tif 000008
【図７】
2006182444.tif 000009
【図８Ａ】
2006182444.tif 000010
【図８Ｂ】
2006182444.tif 000011
【図８Ｃ】
2006182444.tif 000012
【図９】
2006182444.tif 000013
【図１０】
2006182444.tif 000014
【図１１】
2006182444.tif 000015
【図１２】
2006182444.tif 000016
【図１３】
2006182444.tif 000017
【図１４】
2006182444.tif 000018
【図１５】
2006182444.tif 000019
【図１６】
2006182444.tif 000020
【図１７】
2006182444.tif 000021
【図１８】
2006182444.tif 000022
【図１９】
2006182444.tif 000023
【図２０】
2006182444.tif 000024
【図２１】
2006182444.tif 000025
【図２２】
2006182444.tif 000026